(57)【要約】【課題】湯呑みやカップ等への比較的少量の湯が必要な場合に出湯される勢いで使用者の手指に湯の飛沫がかかるような不安全な課題があった。【解決手段】操作荷重の異なる２個のスイッチを備え、対向する位置の出湯操作ボタンの裏面に前記スイッチ表面から同等の対向距離を有する２個の押圧ピンを設けて、１つの出湯操作ボタンに対する操作力の大小差によって必要に応じて出湯量の少量・多量の２段階動作を可能にした。【選択図】　図１
2004065554.tif 000002
【特許請求の範囲】
【請求項１】
収容する液体を加熱・保温貯蔵する容器と、前記液体を本体外に導出する出湯手段と、前記出湯手段を制御する少なくとも２個のスイッチを備えた操作基板と、前記操作基板の２個のスイッチに対向する位置に押圧ピンを各々備えて、かつ上下方向に揺動自在に設けられた出湯操作ボタンとを有し、前記２個のスイッチと押圧ピンとの対向距離を同等とするとともに、前記２個のスイッチが閉成される操作荷重を異なるものとした電気湯沸かし器。
【請求項２】
収容する液体を加熱・保温貯蔵する容器と、前記液体を本体外に導出する出湯手段と、前記出湯手段を制御する少なくとも２個のスイッチを備えた操作基板と、前記操作基板の２個のスイッチに対向する位置に押圧ピンを各々備えて、かつ上下方向に揺動自在に設けられた出湯操作ボタンとを有し、前記２個のスイッチが閉成される操作荷重、およびスイッチと押圧ピンとの対向距離を同等とするとともに、前記押圧ピンの一方が弾性体にて付勢されてなる電気湯沸かし器。
【請求項３】
出湯手段を制御する第一のスイッチを少量出湯に用い、第二のスイッチを多量出湯に用いてなる請求項１または２記載の電気湯沸かし器。
【請求項４】
出湯手段を制御する第一のスイッチの操作荷重より、第二のスイッチの操作荷重が大きくしてなる請求項１〜３のいずれか１項に記載の電気湯沸かし器。
【発明の詳細な説明】
【０００１】
【発明の属する技術分野】
本発明は、容器内に収容した液体を加熱・保温し、本体外部へ導出する電気湯沸かし器に関するものである。
【０００２】
【従来の技術】
従来、この種の電気湯沸かし器は、出湯スイッチをオンさせるのみで、水等の液体を加熱・保温する容器から電動ポンプ等で本体外部へ導出させることが可能であった。
【０００３】
【発明が解決しようとする課題】
しかしながら、上記のような従来の構成の電気湯沸かし器では、液体の出湯量が一定であるため、湯呑みやカップ等比較的少量の湯が必要な場合には、出湯される勢いで湯の飛沫が使用者の手にかかるというような問題があった。また、前記のような問題を解決するため、出湯量を少なめに設定した場合は、一度に大量の出湯が必要なとき、注出に時間がかかり、手間取るという問題もあった。
【０００４】
また、前記問題点を解決するため、少量用、多量用というように出湯ボタンを２個設けた電気湯沸し器も存在するが、１回の出湯操作中に手指の操作位置を変えなければならず、あまり使い勝手の良いものではなかった。
【０００５】
本発明は上記従来の問題点を解決するもので、１個の出湯操作ボタンに対する操作力の大小差によって、必要に応じて出湯量の少量・多量の２段階動作を行うことが可能な安全で使い勝手の良い電気湯沸かし器を提供することを目的としている。
【０００６】
【課題を解決するための手段】
上記課題を解決するために本発明は、収容する液体を加熱・保温貯蔵する容器と、前記液体を本体外に導出する出湯手段と、前記出湯手段を制御する少なくとも２個のスイッチを備えた操作基板と、前記操作基板の２個のスイッチに対向する位置に押圧ピンを各々備えて、かつ上下方向に揺動自在に設けられた出湯操作ボタンとを有し、前記２個のスイッチと押圧ピンとの対向距離を同等とするとともに、前記２個のスイッチが閉成される操作荷重を異ならせる等により、１個の出湯操作ボタンに対する操作力の大小差によって、必要に応じて出湯量の少量・多量の２段階動作を行うことができ、使用者の手に湯の飛び散り等を防止できる安全で使い勝手の良い電気湯沸し器を提供することが可能となる。
【０００７】
【発明の実施の形態】
請求項１記載の発明は、収容する液体を加熱・保温貯蔵する容器と、前記液体を本体外に導出する出湯手段と、前記出湯手段を制御する少なくとも２個のスイッチを備えた操作基板と、前記操作基板の２個のスイッチに対向する位置に押圧ピンを各々備えて、かつ上下方向に揺動自在に設けられた出湯操作ボタンとを有し、前記２個のスイッチと押圧ピンとの対向距離を同等とするとともに、前記２個のスイッチが閉成される操作荷重を異なるものとしたことで、１個の出湯操作ボタンを軽く操作した場合、少量の出湯が行え、さらに強く操作した場合、多量の出湯を行うこと等の操作が容易となり、使用者の手に湯の飛沫がかかるというような問題のない、安全で必要に応じた出湯量を得られる使い勝手の良い電気湯沸し器を提供できる。
【０００８】
また、請求項２記載の発明は、収容する液体を加熱・保温貯蔵する容器と、前記液体を本体外に導出する出湯手段と、前記出湯手段を制御する少なくとも２個のスイッチを備えた操作基板と、前記操作基板の２個のスイッチに対向する位置に押圧ピンを各々備えて、かつ上下方向に揺動自在に設けられた出湯操作ボタンとを有し、前記２個のスイッチが閉成される操作荷重、およびスイッチと押圧ピンとの対向距離を同等とするとともに、前記押圧ピンの一方が弾性体にて付勢されてなることにより、同様に少量出湯、多量出湯を容易に行うことができる。
【０００９】
【実施例】
以下、本発明の実施例について、図１〜図３を参照しながら説明する。本実施例の特徴的構成は電気湯沸かし器の操作部分に関するものである。
【００１０】
（実施例１）
図１〜図２において、外郭を構成するボデー１１の上部に載置した注口１２と、ボデー１１内部に液体１３を収納する有底筒状の容器１４と、この容器１４内の液体１３を加熱する発熱体１５と、容器１４の上面開口部を覆う蓋体１６を備えている。１７は、液体１３を本体外へ導出する出湯手段の電動ポンプであり、２０は前記電動ポンプ１７を駆動制御するための出湯操作ボタンであり、注口１２に一体的にかつ上下方向に揺動自在に形成されている。出湯操作ボタン２０は注口１２上に配置された操作パネル２１上のエンボス部２１ａ越しに操作するようになっている。注口１２内部の出湯操作ボタン２０に対向する位置には、操作基板２２が配置されており、２個のスイッチ２２ａ（第一スイッチ）、２２ｂ（第二スイッチ）を備えている。第一スイッチ２２ａ、第二スイッチ２２ｂは電動ポンプ１７の駆動速度を変えるような指示を出すスイッチであり、第一スイッチ２２ａは低速で電動ポンプ１７を駆動するものであり、これが閉成されると、ある一定量の液体１３が外部へ出湯され、同時に第二スイッチ２２ｂが閉成されると電動ポンプ１７は高速駆動され、さらに多量の出湯ができるよう設定されている。
【００１１】
また、第一スイッチ２２ａの閉成される操作荷重より、第二スイッチ２２ｂの閉成される操作荷重の方が大きく設定されている。前記第一スイッチ２２ａ、第二スイッチ２２ｂに各々対向する位置に同じ対向距離Ｓを隔てて、出湯操作ボタン２０の裏面より突出した第一、第二の押圧ピン２０ａ、２０ｂが形成され、各々のスイッチを押すような構成を取っている。
【００１２】
上記構成における動作を説明する。使用者の外部操作により操作パネル２１上のエンボス部２１ａ越しに出湯操作ボタン２０が軽い操作力にて押圧されるとまず最初に第一の押圧ピン２０ａの端面が第一のスイッチ２２ａを押して閉成し、電動ポンプ１７が低速駆動され、少量の液体１３が水管１８、出湯部１９を経て本体外へ出湯される。このときの出湯量を発明者らは、５秒間あたり１６０ｍｌ程度に設定している。次に出湯ボタン２０がさらに大きい荷重で押圧されると、第一スイッチ２２ａに加え、第二の押圧ピン２０ｂの端面が第二のスイッチ２２ｂを閉成して、電動ポンプ１７の駆動速度が上がり、多量の液体１３が出湯されるようになっている。このときの出湯量は５秒間あたり２５０ｍｌ程度に設定している。
【００１３】
したがって、１個の出湯操作ボタンに対する操作力の大小の差により、必要に応じて出湯量の少量・多量の２段階で動作を行うことができ、使用者の手に湯の飛び散り等を防止できる安全で使い勝手の良い電気湯沸し器を得ることができるわけである。
【００１４】
（実施例２）
図３において、実施例１の場合と同様に出湯操作ボタン３０は、操作パネル３１上のエンボス部３１ａ越しに操作するようになっている。前記出湯操作ボタン３０に対向する位置には、操作基板３２が配置されており、２個のスイッチ３２ａ（第一スイッチ）、３２ｂ（第二スイッチ）を備えている。第一スイッチ３２ａ、第二スイッチ３２ｂは電動ポンプ１７の駆動速度を変えるような指示を出すスイッチであり、第一スイッチ３２ａは低速で電動ポンプ１７を駆動するものであり、これが閉成されると、ある一定量の液体１３が外部へ出湯され、同時に第二スイッチ３２ｂが閉成されるとさらに多量の出湯ができるよう設定されている。
【００１５】
実施例２においては、第一スイッチ３２ａ、第二スイッチ３２ｂの閉成される操作荷重は同一のものが設定されている。前記第一スイッチ３２ａ、第二スイッチ３２ｂに各々対向する位置に同じ対向距離Ｓを隔てて、出湯操作ボタン３０の裏面より突出した第一、第二の押圧ピン３０ａ、３０ｂが形成されているが、第二の押圧ピン３０ｂの周囲にはコイルバネ３３が付勢されて配置されている。
【００１６】
上記構成における基本的な動作は実施例１と同様であるので、重複する説明は割愛するが、実施例２において特徴的な内容は、第一、第二の各スイッチの閉成される荷重は同一のものであり、第一の押圧ピン３０ａと第二の押圧ピン３０ｂの動作タイミングの差はコイルバネ３３の反発付勢力によって発生するようになっている。
【００１７】
したがって、実施例２の場合も１個の出湯操作ボタンに対する操作力の大小の差によって、必要に応じて出湯量の少量・多量の２段階動作を行うことができ、使用者の手に湯の飛び散り等を防止できる安全で使い勝手の良い電気湯沸し器を得ることができるわけである。
【００１８】
なお、上記実施例では、主としてスイッチを２個設けた場合を中心に記述しているが、スイッチ、押圧ピンを３個設けた場合も同様に出湯操作ボタンの操作力の差で、順に第一のスイッチ、第二のスイッチ、第三のスイッチが閉成されていくにしたがって段階的に出湯量が多くなるよう設定できるようにすることが可能である。
【００１９】
【発明の効果】
以上のように、本発明によれば、１個の出湯操作ボタンに対する操作力の大小差によって、必要に応じて出湯量の少量・多量の２段階動作を行うことが可能となる。特に、請求項３、４に記載された発明によれば、まず軽い操作力で少量の出湯が行われ、操作力を大きくすると多量の出湯が行われるという自然な感覚での出湯制御が可能となる。
【図面の簡単な説明】
【図１】本発明の第１、２の実施例を示す電気湯沸かし器の全体概略断面図
【図２】本発明の第１の実施例に示す電気湯沸かし器の要部詳細断面図
【図３】本発明の第２の実施例に示す電気湯沸かし器の要部詳細断面図
【符号の説明】
１３　液体
１４　容器
１７　電動ポンプ（出湯手段）
２０、３０　出湯操作ボタン
２０ａ、３０ａ　（第一の）押圧ピン
２０ｂ、３０ｂ　（第二の）押圧ピン
２２　操作基板
２２ａ、３２ａ　（第一の）スイッチ
２２ｂ、３２ｂ　（第二の）スイッチ
【図１】
2004065554.tif 000003
【図２】
2004065554.tif 000004
【図３】
2004065554.tif 000005